(57)【要約】【課題】帽子類に装着し簡易な構成でありながらも有効に、打球方向とは逆側の側方視野を遮蔽可能であり、更に、不使用時には容易に視野の制限を解除でき、右利き左利きどちらのゴルファーにも共用可能であり、視野の制限範囲を調整可能でもある帽子装着式ゴルフ補助具を提供すること。【解決手段】ゴルファーの帽子類に装着して、ゴルフの打球時に、視野を制限して集中力を向上させる補助具において、ゴルファーの帽子類の鍔部に着脱自在に取り付ける設置部と、帽子類の鍔部から垂下され、打球方向とは逆側の側方視野を遮蔽可能な遮蔽部と、不使用時の遮蔽部を移動させて視野の制限を解除する遮蔽部解除機構とを設ける。【選択図】図１
0003157267.tif 000002
【実用新案登録請求の範囲】
【請求項１】
ゴルファーの帽子類に装着して、ゴルフの打球時に、視野を制限して集中力を向上させる補助具であって、
ゴルファーの帽子類の鍔部に着脱自在に取り付ける設置部と、
帽子類の鍔部から垂下され、打球方向とは逆側の側方視野を遮蔽可能な遮蔽部と、
不使用時の遮蔽部を移動させて視野の制限を解除する遮蔽部解除機構とを備える
ことを特徴とする帽子装着式ゴルフ補助具。
【請求項２】
設置部が、帽子類の鍔部を挟持可能な少なくとも２枚の舌片を有し、
遮蔽部が、少なくとも遮蔽状態では略楕円形状の板状体である
請求項１に記載の帽子装着式ゴルフ補助具。
【請求項３】
遮蔽部解除機構が、遮蔽部を設置部に対して回動させる回動支持手段を有し、
遮蔽部が、帽子類の鍔部を挟持可能な設置部の２枚の舌片に関して対称に、略直角ずつ回動であることによって、右利き左利きどちらのゴルファーにも共用可能である
請求項１または２に記載の帽子装着式ゴルフ補助具。
【請求項４】
遮蔽部が、複数の板状体から成り、折り畳みまたはスライドによって拡開可能であることによって、視野の制限範囲を調整可能である
請求項１ないし３のいずれかに記載の帽子装着式ゴルフ補助具。
【考案の詳細な説明】
【技術分野】
【０００１】
本考案は、ゴルファーの帽子類に装着して、打球時に視野を制限して集中力を向上させる補助具に関する。
【背景技術】
【０００２】
ゴルフで、視界が広い状態でパッティングやスイングを行うと、気が散る要素が目に入る確率が高く、集中力を欠く原因となり得る。
また、側方等からの余分な光があると、芝目を読みにくくなったり、不利に作用することがある。
そのため、側方の視野、特に、打球方向とは逆側の側方視野は、遮蔽した方が好ましい。
【０００３】
視野を制限して集中力を向上させる従来の補助具には、特許文献１〜３がある。
しかし、常時、視野を制限したままの固定式であると、移動時に危険であったり、取り外しと装着を繰り返すことに不便であったりする。
また、視野の制限範囲が一定の固定式であると、個人個人の用途に対応困難である。
【先行技術文献】
【特許文献】
【０００４】
【特許文献１】特開平７−４７１５８  「優勢眼を用いたゴルフ視力訓練装置」
【特許文献２】特開２００５−３３０６３６  「ゴルフ用帽子」
【特許文献３】実用新案登録３０００８８８  「ゴルフのスイング制御用透視板」
【考案の開示】
【考案が解決しようとする課題】
【０００５】
そこで、本考案は、帽子類に装着し簡易な構成でありながらも有効に、打球方向とは逆側の側方視野を遮蔽可能であり、更に、不使用時には容易に視野の制限を解除でき、右利き左利きどちらのゴルファーにも共用可能であり、視野の制限範囲を調整可能でもある帽子装着式ゴルフ補助具を提供することを課題とする。
【課題を解決するための手段】
【０００６】
上記課題を解決するために、本考案は以下の構成を備える。すなわち、ゴルファーの帽子類に装着して、ゴルフの打球時に、視野を制限して集中力を向上させる補助具であって、ゴルファーの帽子類の鍔部に着脱自在に取り付ける設置部と、帽子類の鍔部から垂下され、打球方向とは逆側の側方視野を遮蔽可能な遮蔽部と、不使用時の遮蔽部を移動させて視野の制限を解除する遮蔽部解除機構とを備えることを特徴とする。
なお、帽子類とは、狭義のサンバイザー、キャップ、ハットなどを含み、打球時に頭部に装着する帽子一般を指す。
【０００７】
ここで、設置部に、帽子類の鍔部を挟持可能な少なくとも２枚の舌片を設け、遮蔽部を、少なくとも遮蔽状態では略楕円形状の板状体としてもよい。
【０００８】
また、遮蔽部解除機構に、遮蔽部を設置部に対して回動させる回動支持手段を設け、遮蔽部を、帽子類の鍔部を挟持可能な設置部の２枚の舌片に関して対称に、略直角ずつ回動に構成して、右利き左利きどちらのゴルファーにも共用可能にしてもよい。
【０００９】
遮蔽部を、複数の板状体から成るものとし、折り畳みまたはスライドによって拡開可能に構成して、視野の制限範囲を調整可能にしてもよい。
【考案の効果】
【００１０】
本考案によると、帽子類の鍔部に容易に取り付けられ、打球方向とは逆側の側方視野を有効に遮蔽できる。また、不使用時には容易に視野の制限を解除でき、右利き左利きどちらのゴルファーにも共用可能であり、視野の制限範囲を個人個人の都合で調整可能でもあり、打球時の視野を適切に制限して集中力を向上させられると共に、余分な光を遮蔽することで成績を向上させられる。
【図面の簡単な説明】
【００１１】
【図１】本考案による帽子装着式ゴルフ補助具をゴルファーの帽子に装着した状態を示す正面図
【図２】同、側面図
【図３】一実施例の帽子装着式ゴルフ補助具の斜視図
【図４】平行スライド式の遮蔽部の説明図
【図５】回転スライド式の遮蔽部の説明図
【図６】折り畳み式の遮蔽部の説明図
【考案を実施するための最良の形態】
【００１２】
以下に、本考案の実施形態を、図面に示す実施例を基に説明する。なお、実施形態は下記の例示に限らず、本考案の趣旨から逸脱しない範囲で、前記文献など従来公知の技術を用いて適宜設計変更可能である。
また、以下の実施例では、器具の要部を説述するが、構造細部及び周辺装置は、標準的に用いられている従来公知の技術を適宜適用可能である。
【００１３】
図１及び２は、本考案による帽子装着式ゴルフ補助具をゴルファーの帽子に装着した状態を示す正面図及び側面図、図３は、一例のゴルフ補助具の斜視図である。
ゴルフ補助具は、ゴルファーの帽子（１０）の鍔部（１１）に、設置部（２０）を介して着脱自在に取り付けられる。
設置部（２０）は、略板状の２枚の舌片（２１）（２１）を備える。両舌片（２１）（２１）は、互いに近接する方向に付勢されていて、その間隙に帽子（１０）の鍔部（１１）を挟むことで、帽子（１０）にゴルフ補助具が装着される。なお、両舌片（２１）（２１）の端部（２２）（２２）は離隔していて、帽子（１０）の鍔部（１１）を挿入しやすく構成されている。
【００１４】
設置部（２０）には、２枚の舌片（２１）（２１）の間隙を拡開する力を伝達可能な把持片を付設してもよい。すなわち、洗濯挟み状のクリップと同様の構成にして、把持片をつまむことによって、２枚の舌片（２１）（２１）の間を拡げ、帽子（１０）の鍔部（１１）を挿入しやすくする。なお、このような舌片（２１）（２１）による帽子（１０）の鍔部（１１）の挟持構造は、従来公知の挟持機構を適宜利用できる。
【００１５】
設置部（２０）には、遮蔽部解除機構（３０）を介して、遮蔽部（４０）が接続される。
遮蔽部（４０）は、帽子（１０）の鍔部（１１）から垂下され、ゴルファーの打球方向とは逆側の側方視野を遮蔽可能な遮蔽板（４１）を備える。
図示の遮蔽板（４１）の形状は略楕円形状であるが、多角形などでもよく、大きさも、側方視野を遮蔽可能であれば任意である。
【００１６】
遮蔽部解除機構（３０）は、遮蔽部（４０）を設置部（２０）に対して回動させる回動支持手段を備える。回動支持手段としては、蝶番などが利用できる。
図示の使用例の場合、遮蔽部（４０）は、２７０°回動させると帽子（１０）の鍔部（１１）の上に収納され、視野の制限が解除される。
また、遮蔽部（４０）が、舌片（２１）に関して対称に、略直角ずつ回動であるので、装着する鍔部（１１）の位置を変えることで、右利き左利きどちらのゴルファーにも共用可能である。
【００１７】
図４〜６は、遮蔽部の別実施例を示し、図４は、平行スライド式の遮蔽部の説明図、図５は、回転スライド式の遮蔽部の説明図、図６は、折り畳み式の遮蔽部の説明図である。
遮蔽部（４０）を、複数の板状体で構成し、その拡開によって面積を調整可能にすることで、視野の制限範囲を調整可能にし、また、収納時の小型化にも寄与する。
【００１８】
図４は、平行スライド式の遮蔽部の例であり、一方の遮蔽板（４１）の内側または内部に収容されていた他の遮蔽板（４２）を平行に引き出すことによって、視野の制限範囲を大きくすることができる。なお、収容する遮蔽板（４２）の枚数は任意であり、収容及び引き出し様式は従来公知のスライド機構を適宜利用できる。
【００１９】
図５は、回転スライド式の遮蔽部の例であり、一方の遮蔽板（４１）の内側または内部に収容されていた他の遮蔽板（４２）を、支軸（４３）を軸に回転させて引き出すことによって、視野の制限範囲を大きくすることができる。
【００２０】
図６は、折り畳み式の遮蔽部の例であり、扇子と同様に、端部の遮蔽板（４１）の内側または内部に収容されていた他の多数の遮蔽板（４２）（４４）を、支軸（４３）を軸に回転させて引き出すことによって、視野の制限範囲を大きくすることができる。本実施例は、前記実施例と比べて、不使用時における小型化に寄与する。
【産業上の利用可能性】
【００２１】
本考案によると、打球方向とは逆側の側方視野を簡易に遮蔽できるので、打球時の集中力を向上させられ、また、余分な光を遮蔽することで成績を向上させられるので、実用的であり産業上利用価値が高い。
【符号の説明】
【００２２】
１０  帽子
１１  帽子の鍔部
２０  設置部
２１  舌片
２２  舌片の端部
３０  遮蔽部解除機構
４０  遮蔽部
４１、４２  遮蔽板
４１’、４２’、４４  移動後の遮蔽板
４３  支軸
【図１】
0003157267.tif 000003
【図２】
0003157267.tif 000004
【図３】
0003157267.tif 000005
【図４】
0003157267.tif 000006
【図５】
0003157267.tif 000007
【図６】
0003157267.tif 000008